(57)【要約】【課題】凹凸のあるコイン状物の表面に入り込んだ手垢等の汚れに対しても十分な洗浄効果を有するとともに、コイン状物を連続的に効率よく搬送し洗浄することができる新規なコイン状物の洗浄装置を提供する。【解決手段】コインＣを貯留し外部への送出部を有する貯留部２０と、貯留部２０内に配置されコインＣを１枚ずつ送出部外部へ送出する送出装置３０と、送出部に接続されコインＣを連続列状に保持するレール部４１からなり送出装置３０によるコインＣの送出によりレール部４１に保持されたコインＣを順次前方へ搬送する搬送レール４０と、搬送レール４０の途中に配設された洗浄水槽５１と洗浄水Ｗに超音波振動を付与する超音波発信部５５とを備え搬送レール４０に保持されたコインＣを超音波洗浄する洗浄部５０と、搬送レール４０の途中に配設され洗浄部５０で洗浄されたコインＣの水分を除去する水分除去部６０とを有する。【選択図】図１
0003103843.tif 000002
【実用新案登録請求の範囲】
【請求項１】
被洗浄物であるコイン状物を貯留し、外部への送出部を有する貯留部と、
前記貯留部内に配置され、駆動装置によって駆動される回転体を備え、前記回転体の回転とともに前記貯留部内のコイン状物を１枚ずつ前記送出部外部へ送出する送出装置と、
前記送出部に接続されていて、コイン状物を連続列状に保持するレール部からなり、前記送出装置によるコイン状物の送出によって、該レール部に保持されたコイン状物を順次前方へ搬送する搬送レールと、
前記搬送レールの途中に配設された洗浄水槽と、その洗浄水に超音波振動を付与する超音波発信部とを備え、前記搬送レールに保持されたコイン状物を洗浄水中で超音波洗浄する洗浄部と、
前記搬送レールの途中に配設され、前記洗浄部で洗浄されたコイン状物の水分を除去する水分除去部
とを有することを特徴とするコイン状物の洗浄装置。
【請求項２】
前記回転体が前記貯留部内のコイン状物を１枚ずつ収容するポケットを有している請求項１に記載のコイン状物の洗浄装置。
【請求項３】
前記回転体の回転によって移動したコイン状物が前方に位置するコイン状物を後方から押しながら前記送出部外部へ送り出す請求項１又は２に記載のコイン状物の洗浄装置。
【請求項４】
前記搬送レールのレール部がコイン状物の円盤面を垂直方向に保持する垂直保持溝を有する請求項１ないし３のいずれか１項に記載のコイン状物の洗浄装置。
【請求項５】
前記レール部がレールの幅方向両側に前記垂直保持溝を有する請求項４に記載のコイン状物の洗浄装置。
【請求項６】
前記搬送レールが直線用レール部と曲線用レール部との連結によって構成されている請求項５に記載のコイン状物の洗浄装置。
【請求項７】
前記搬送レールが下段側に前記洗浄部、上段側に前記水分除去部に位置するように垂直レール部を介してＵターン状に配設された請求項５又は６に記載のコイン状物の洗浄装置。
【請求項８】
前記洗浄部の超音波発信部がレール部に保持されたコイン状物の円盤面に対して両側に配置されている請求項１ないし７のいずれか１項に記載のコイン状物の洗浄装置。
【考案の詳細な説明】
【技術分野】
【０００１】
この考案はコインやメダル等のコイン状物の洗浄装置に関する。
【背景技術】
【０００２】
例えば遊技施設のスロットマシンに使用するコイン（メダル）は、表面に付着した手垢等の汚れを除去するために定期的に洗浄することが行われている。従来の洗浄手段としては、コインを一対の研磨材間に挟圧して強制移動させることによって表面の汚れを拭き取るものや（例えば、特許文献１参照。）、洗浄液に浸された洗浄ブラシと一対の洗浄ロール間を通過させることによって汚れを払い取るものが知られている（例えば、特許文献２参照。）。
【０００３】
しかしながら、コインの汚れは、研磨材による拭き取りや洗浄ブラシと洗浄ロールによる払い取りによっては容易に除去することができず、とりわけ凹凸のあるコイン表面に入り込んだ手垢等の油汚れに対しては十分な洗浄効果を得ることができなかった。そのため、短い周期で洗浄を繰り返さなければならないという問題があった。
【特許文献１】特開平６−２３１３８号公報
【特許文献２】特開平１０−２７７５０４号公報
【考案の開示】
【考案が解決しようとする課題】
【０００４】
この考案は、このような状況に鑑み提案されたものであって、凹凸のあるコイン状物の表面に入り込んだ手垢等の汚れに対しても十分な洗浄効果を有するとともに、コイン状物を連続的に効率よく搬送し洗浄することができる新規なコイン状物の洗浄装置を提供することを目的とする。
【課題を解決するための手段】
【０００５】
すなわち、請求項１の考案は、被洗浄物であるコイン状物を貯留し、外部への送出部を有する貯留部と、前記貯留部内に配置され、駆動装置によって駆動される回転体を備え、前記回転体の回転とともに前記貯留部内のコイン状物を１枚ずつ前記送出部外部へ送出する送出装置と、前記送出部に接続されていて、コイン状物を連続列状に保持するレール部からなり、前記送出装置によるコイン状物の送出によって、該レール部に保持されたコイン状物を順次前方へ搬送する搬送レールと、前記搬送レールの途中に配設された洗浄水槽と、その洗浄水に超音波振動を付与する超音波発信部とを備え、前記搬送レールに保持されたコイン状物を洗浄水中で超音波洗浄する洗浄部と、前記搬送レールの途中に配設され、前記洗浄部で洗浄されたコイン状物の水分を除去する水分除去部とを有することを特徴とするコイン状物の洗浄装置に係る。
【０００６】
請求項２の考案は、請求項１において、前記回転体が前記貯留部内のコイン状物を１枚ずつ収容するポケットを有しているコイン状物の洗浄装置に係る。
【０００７】
請求項３の考案は、請求項１又は２において、前記回転体の回転によって移動したコイン状物が前方に位置するコイン状物を後方から押しながら前記送出部外部へ送り出すコイン状物の洗浄装置に係る。
【０００８】
また、請求項４の考案は、請求項１ないし３のいずれか１項において、前記搬送レールのレール部がコイン状物の円盤面を垂直方向に保持する垂直保持溝を有するコイン状物の洗浄装置に係る。
【０００９】
さらに、請求項５の考案は、請求項４において、前記レール部がレールの幅方向両側に前記垂直保持溝を有するコイン状物の洗浄装置に係る。
【００１０】
請求項６の考案は、請求項５において、前記搬送レールが直線用レール部と曲線用レール部との連結によって構成されているコイン状物の洗浄装置に係る。
【００１１】
さらにまた、請求項７の考案は、請求項５又は６において、前記搬送レールが下段側に前記洗浄部、上段側に前記水分除去部に位置するように垂直レール部を介してＵターン状に配設されたコイン状物の洗浄装置に係る。
【００１２】
請求項８の考案は、請求項１ないし７のいずれか１項において、前記洗浄部の超音波発信部がレール部に保持されたコイン状物の円盤面に対して両側に配置されているコイン状物の洗浄装置に係る。
【考案の効果】
【００１３】
請求項１の考案に係るコイン状物の洗浄装置によれば、被洗浄物であるコイン状物を貯留し、外部への送出部を有する貯留部と、前記貯留部内に配置され、駆動装置によって駆動される回転体を備え、前記回転体の回転とともに前記貯留部内のコイン状物を１枚ずつ前記送出部外部へ送出する送出装置と、前記送出部に接続されていて、コイン状物を連続列状に保持するレール部からなり、前記送出装置によるコイン状物の送出によって、該レール部に保持されたコイン状物を順次前方へ搬送する搬送レールと、前記搬送レールの途中に配設された洗浄水槽と、その洗浄水に超音波振動を付与する超音波発信部とを備え、前記搬送レールに保持されたコイン状物を洗浄水中で超音波洗浄する洗浄部と、前記搬送レールの途中に配設され、前記洗浄部で洗浄されたコイン状物の水分を除去する水分除去部とを有することより、凹凸のあるコイン状物の表面に入り込んだ手垢等の汚れに対しても十分な洗浄効果を有するとともに、コイン状物を連続的に効率よく搬送し洗浄することができる。
【００１４】
請求項２の考案によれば、請求項１において、前記回転体が前記貯留部内のコイン状物を１枚ずつ収容するポケットを有していることより、貯留部内のコイン状物を確実に効率よく送出部へ移動することができる。
【００１５】
また、請求項３の考案によれば、請求項１又は２において、前記回転体の回転によって移動したコイン状物が前方に位置するコイン状物を後方から押しながら前記送出部外部へ送り出すことより、回転体の駆動のみによって、他の搬送駆動手段を要することなくコイン状物を確実に送出部外部へ送り出し搬送することができる。
【００１６】
また、請求項４の考案によれば、請求項１ないし３のいずれか１項において、前記搬送レールのレール部がコイン状物の円盤面を垂直方向に保持する垂直保持溝を有することより、コイン状物はレール部に垂直保持された状態で搬送され、円盤面に対する洗浄及び水分除去を効果的に行うことができる。のみならず、コイン状物はその円周部が保持溝を摺動するので、搬送が効果的かつ効率よく行われる。
【００１７】
さらに、請求項５の考案によれば、請求項４において、前記レール部がレールの幅方向両側に前記垂直保持溝を有することより、レール部を縦、横、斜め、あるいはＵターン状のどのような状態に配置してもコイン状物を確実に垂直保持することが可能となる。
【００１８】
請求項６の考案によれば、請求項５において、前記搬送レールが直線用レール部と曲線用レール部との連結によって構成されていることより、これらのレールの組み合わせによりレール部の配置をどのようにも設定でき、搬送レールの設置の自由度が大幅に向上する。
【００１９】
さらにまた、請求項７の考案によれば、請求項５又は６において、前記搬送レールが下段側に前記洗浄部、上段側に前記水分除去部に位置するように垂直レール部を介してＵターン状に配設されたことより、洗浄部及び水分除去部を含む装置の省スペース化が可能になるばかりでなく、垂直レール部を介することによって、レール部の水切りも可能となる。
【００２０】
請求項８の考案によれば、請求項１ないし７のいずれか１項において、前記洗浄部の超音波発信部がレール部に保持されたコイン状物の円盤面に対して両側に配置されていることより、コイン状物の円盤面に対する洗浄効果が大幅に高められる。
【考案を実施するための最良の形態】
【００２１】
以下添付の図面に従って、この考案の実施例を説明すると、図１はこの考案の一実施例に係る洗浄装置の一部を断面とした概略正面図、図２は図１に示す洗浄装置の貯留部の断面図、図３は送出装置の表厚板の一部を切り欠いて表した正面図、図４は図３の３−３線で切断した断面図、図５は送出装置を構成する主要部材の第１正面図、図６はその第２正面図、図７はコイン状物を保持する搬送レールの一部斜視図、図８は洗浄部における洗浄状態を表す洗浄水槽の横断面図である。
【００２２】
図示の実施例に係る洗浄装置１０は、スロットマシンに使用するコインＣを被洗浄物とするもので、貯留部２０と、送出装置３０と、搬送レール４０と、洗浄部５０と、水分除去部６０とを有する。なお、図１の符号Ｃ１は洗浄済みのコインを表す。
【００２３】
貯留部２０は、被洗浄物であるコインＣを貯留するもので、図２に示すように、外部への送出部２５を有する。実施例では、上部にコインＣが投入される開口２１を備えており、送出部２５は、コインＣを上方へ送り出す関係で下部側面に設けられている。また、貯留部２０の底部２２の形状は、コインＣを送出部２５に集めやすくするために送出部２５側に向かって下降する傾斜形状に形成されている。
【００２４】
送出装置３０は、前記貯留部２０内に配置されていて、図１ないし図５に示すように、駆動装置であるモータＭによって駆動される回転体３１を備える。回転体３１は、その回転とともに、前記貯留部２０内のコインＣを１枚ずつ送出部２５の外部へ送出する。
【００２５】
回転体３１は、貯留部２０内のコインＣを１枚ずつ確実にかつ効率よく送出部２５外部（送出路３７）へ移動するために、図３に図示しかつ請求項２の考案として規定したように、貯留部２０内のコインＣを１枚ずつ収容するポケット３２，３２を有していることが好ましい。実施例の回転体３１は、その外周側にコインＣの外径よりわずかに大きい円形のポケット部３２，３２が８ケ所形成されている。貯留部２０内のコインＣは回転体３１のポケット３２に入り込み、該回転体３１が回転することによって爪板３５にガイドされ背板３４と摺接して移動され、爪板３５により形成された送出路３７へ送り込まれる。符号３３は回転体３１の中心突部、３６は回転体３１の回転軸、３８は表厚板を表す。
【００２６】
前記回転体３１の回転によって移動したコインＣは、図３及び図４に図示し請求項３の考案として規定したように、前方に位置するコインＣを後方から押しながら前記送出路３７を介して送出部２５外部へ送り出す。ポケット３２，３２に収容されたコインＣは、回転体３１の回転によって爪板３５の内縁部３５ａ（図３，図６）に沿って移動され、送出路３７に沿って１枚ずつ上方へ移動される。この動きを繰り返すことによって、コインＣが前方に位置するコインＣを後方から押しながら送出部２５外部へ送り出す。
【００２７】
搬送レール４０は、前記送出部２５に接続される。搬送レール４０は、コインＣを連続列状に保持するレール部４１からなり、前記送出装置３０によるコインＣの送出によって、レール部４１に保持されたコインＣを順次前方へ搬送する。搬送レール４０はコインＣの大きさ（厚み及び直径）に合わせて交換することができる。
【００２８】
実施例のレール部４１は、図７に図示し請求項４の考案として規定したように、コインＣの円盤面７０を垂直方向に保持する垂直保持溝４２を有する。このように垂直保持溝４２を設けてコインＣを垂直保持することによって、コインＣはその円周部７１がレール部４１の保持溝４２を摺動しその移動が容易となるとともに、後述する洗浄部５０によるコインＣの円盤面７０の洗浄を効果的にかつ効率よく行うことができる。
【００２９】
また、実施例のレール部４１は、図示し請求項５の考案として規定したように、レール４０の幅方向両側に前記垂直保持溝４２を有する。垂直保持溝４２をレール４０の幅方向両側に設けることによって、レール部４１を縦、横、斜め、あるいＵターン状のどのような状態に配置してもコインＣを確実に垂直保持することができる。なお、実施例の垂直保持溝４２の幅はコインＣの厚みより約０．４〜０．６ｍｍ大きく形成され、レール部４１の高さはコインＣの直径より約１．６〜２．０ｍｍ大きく形成されている。
【００３０】
この実施例では、図１に図示し請求項６の考案として規定したように、搬送レール４０が直線用レール部４１Ａと曲線用レール部４１Ｂとの連結によって構成されている。この直線用レール部４１Ａと曲線用レール部４１Ｂとの組み合わせによってレール部４１の配置をどのようにも設定でき、搬送レール４０の設置の自由度が大幅に向上する。
【００３１】
さらにこの実施例では、図示し請求項７の考案として規定したように、前記搬送レール４０が下段側に前記洗浄部５０、上段側に前記水分除去部６０に位置するように垂直レール部（ここでは直線用レール部４１Ａ）を介してＵターン状に配設されている。これによって、洗浄部５０及び水分除去部６０を含む洗浄装置１０の省スペース化が可能になるばかりではなく、垂直レール部を介することによって、レール部４１の水切りも可能となる。
【００３２】
洗浄部５０は洗浄水槽５１と超音波発信部５５を備えている。この洗浄水槽５１は、図示するように、搬送レール４０の途中に配設されて所定量の洗浄水Ｗで満たされている。超音波発信部５５は、洗浄水槽５１に満たされた洗浄水Ｗに超音波振動を付与する。搬送レール４０に保持されるコインＣに付着した手垢や汚れは、窓部４３を介して搬送レール４０内に浸入する微小な気泡が圧壊するキャビテーション現象によって除去される。これによって、凹凸のあるコインＣの表面に入り込んだ手垢等の汚れに対しても十分な洗浄効果を得ることができる。また、洗浄水槽５１に満たされた洗浄水Ｗを公知の棒状ヒータ等によって適宜の温度に調節すると洗浄効果をより高めることができる。なお、実施例の超音波発信部５５は、最大出力が７８０Ｗの超音波発生装置であって所定の周波数を発生させる超音波振動子８個を有している。
【００３３】
水分除去部６０は、前記搬送レール４０の途中に配設され、前記洗浄部５０で洗浄されたコインＣの水分を除去する。実施例の水分除去部６０は、放射熱源と送風部を有している。ここでは、放射熱源と送風部をそれぞれ赤外線ランプと公知の送風機によって構成している。この水分除去部６０は、赤外線ランプによる熱照射と送風機による加熱空気の循環とによってコインＣの乾燥を促進させる。
【００３４】
なお、この実施例では、図示のように、コインＣの水分を吸収する水切部６５を設けている。この水切部６５は、スポンジ体がレール部４１に保持されたコインＣを挟圧して水分を吸収する。このスポンジ体によって挟圧されて搬送されたコインＣの水分は、さらに前記水分除去部６０によって除去することができる。飽和状態のスポンジ体から溢れる水は、洗浄水槽５１に受けて回収する。
【００３５】
水分が除去されたコインＣ１は、図示のように、洗浄装置１０の外部に搬出される。排出されたコインＣ１は、貯留皿等に集められて再びスロットマシンに使用される。図中の符号１１はこの洗浄装置１０の起動・停止を制御する制御部、１２は基台、１３は貯留部固定部材、１４は洗浄水槽固定部材、１５は水分除去部固定部材、１６は送出装置固定部材、１７はキャスターである。
【００３６】
図１及び図８に図示し請求項８の考案として規定したように、前記洗浄部５０の超音波発信部５５は、レール部４１に保持されたコインＣの円盤面７０に対して両側に配置されている。この実施例では、各超音波発信部５５を、すべての超音波振動子が同一平面上で重ならないように配置している。コインＣの円盤面７０は、超音波振動によって発生する気泡５６の圧壊による衝撃（キャビテーション現象）によって洗浄される。さらに、コイン状物Ｃの円周部７１は、キャビテーション現象とコインＣの共振とによって効果的に洗浄される。
【図面の簡単な説明】
【００３７】
【図１】この考案の一実施例に係る洗浄装置の一部を断面とした概略正面図である。
【図２】図１に示す洗浄装置の貯留部の断面図である。
【図３】送出装置の表厚板の一部を切り欠いて表した正面図である。
【図４】図３の３−３線で切断した断面図である。
【図５】送出装置を構成する主要部材の第１正面図である。
【図６】その第２正面図である。
【図７】コイン状物を保持する搬送レールの一部斜視図である。
【図８】洗浄部における洗浄状態を示す洗浄水槽の横断面図である。
【符号の説明】
【００３８】
１０  洗浄装置
２０  貯留部
２５  送出部
３０  送出装置
３１  回転体
３２  ポケット
３５  爪板
３７  送出路
４０  搬送レール
４１  レール部
４１Ａ  直線用レール部
４１Ｂ  曲線用レール部
４２  垂直保持溝
５０  洗浄部
５１  洗浄水槽
５５  超音波発信部
６０  水分除去部
７０  コインの円盤面
Ｃ  コイン
Ｍ  駆動装置
Ｗ  洗浄水
【図１】
0003103843.tif 000003
【図２】
0003103843.tif 000004
【図３】
0003103843.tif 000005
【図４】
0003103843.tif 000006
【図５】
0003103843.tif 000007
【図６】
0003103843.tif 000008
【図７】
0003103843.tif 000009
【図８】
0003103843.tif 000010